(57)【要約】【課題】  前腹部６２は切り欠き６２ａを有しており下端縁１２ａが蛇行している為に、製造過程において脇位置部分６２ｗが捲れる様に収縮し、股下部６３取付時の位置決めが困難となる。そこで本発明では位置決めが容易となるパンツ型おむつの製造方法を提供することを目的とする。【解決手段】  前腹部下端縁１２ａの切断を２段階以上に分け、股下部６３が重ねられる箇所について先にスリット２２を入れ、股下部が重ねられない箇所Ｅの少なくとも一部を切断せずに残す。これにより脇位置部分６２ｗは平面状を保ち、股下部６３の位置決めが容易となる。そして股下部６３を取り付けた後、残りの部分に切り込み３２を入れ、トリム１６を分離する。【選択図】      図１
2006055359.tif 000002
【特許請求の範囲】
【請求項１】
前腹部と後背部と股下部を重ね合わせて作製されるものであり、少なくとも前記前腹部が腹部回り方向に伸縮可能に構成されると共に、その下腹部側に切り欠きを形成してこの切り欠き線を下端縁とし、この切り欠きを覆う様に前腹部の非切欠部に前記股下部の一部が重ねられてなる使い捨てパンツ型おむつを連続して製造する方法における前記下腹部の切り欠き手段として、
前記前腹部を構成する原料反における前記下腹部側の切断を、２段階以上に分けて行うこととし、
この前半段階として、前記前腹部の原料反における前記股下部が重ねられる箇所毎に略等間隔で前記切り欠き線の下端縁を構成するスリットを入れ、
次に、前記前腹部に前記股下部を重ねて着脱自在に取り付け、
後半段階として、隣り合った前記スリットの端部を結ぶ線に沿って切り込みを入れることを特徴とする使い捨てパンツ型おむつの製造方法。
【請求項２】
更に、前記後背部を構成する原料反における後背部下端縁の切断を、２段階以上に分けて行うこととし、
この前半段階として、前記後背部の原料反における前記股下部が重ねられる箇所毎に略等間隔で前記後背部下端縁を構成するスリットを入れ、
次に、前記後背部に前記股下部を重ねて一体的に取り付け、
後半段階として、隣り合った前記スリットの端部を結ぶ線に沿って切り込みを入れる請求項１に記載の使い捨てパンツ型おむつの製造方法。
【請求項３】
前記前腹部原料反の下腹部側の切断における後半段階の切り込み操作、及び前記後背部原料反の下端縁の切断における後半段階の切り込み操作を、同一のドラムカッターにより行う請求項１または２に記載の使い捨てパンツ型おむつの製造方法。
【発明の詳細な説明】
【技術分野】
【０００１】
本発明は、腹部回りが伸縮可能な使い捨てパンツ型おむつの製造方法に関するものであり、得られたパンツ型おむつは乳幼児用としてはもとより、成人用等としても用いることができる。
【背景技術】
【０００２】
使い捨ておむつとしては大きく分けて、平板状のおむつ展開体から使用時に後背部の左右翼を前腹部に綴じ合わせて着用させる展開型おむつと、パンツの形状をしたパンツ型おむつがあり、殊にパンツ型おむつは着用操作が立ち姿勢で容易に行えてはき脱ぎし易く、また成人着用者にとっては下着感覚で着用できて抵抗感が比較的少ないといった利点を有することから、汎用されている。
【０００３】
このパンツ型おむつには、着用感を向上させる目的で、腹部の周方向に弾性糸条を配置して、腹回りのフィット性を向上させたものが提案されている（例えば、特許文献１参照）。更にパンツ型おむつの取り替えに際して外着（ズボンやタイツ等）を脱ぐ手間を省略できる様に、股部分を開閉自在としたものも提案されている（例えば、特許文献２参照）。
【特許文献１】特開２００２−２３８９３４号公報（例えば図１〜３，８，１１）
【特許文献２】特開平９−５６６号公報
【発明の開示】
【発明が解決しようとする課題】
【０００４】
上述の如く腹部回り方向に弾性糸条６４を配置し、且つ股部分を開閉自在としたパンツ型おむつとしては、図３［（ａ）は腹部伸縮自在・股部開閉自在なパンツ型おむつ６０の一例を表す斜視図、（ｂ）はこのパンツ型おむつ６０の股部分を開けた状態の正面図］に示すものが挙げられ、このパンツ型おむつ６０は後背部６１から延びた股下部６３を前腹部６２の外側面（反肌側面）に対して面ファスナー６５ａ，６５ｂで係着する構成のものである。この様に前腹部６２の外側から股下部６３を取り付けるタイプであれば、股下部６３が肌側にくるタイプと違って、取付操作が簡単で好ましい。但しこの様に前腹部６２の外側面への取り付けの場合は、吸収性コア６６を内包する股下部６３と着用者の肌との間に前腹部６２が位置することになるので、吸収性コア６６の吸収性を発揮させる為に、前腹部６２の下腹位置Ｓを大きく切り欠いて（切り欠き６２ａ）股下部６３が直接肌に接する様にすることが推奨される。
【０００５】
ところでパンツ型おむつの製造方法は、長尺の原料帯状シートを出発点として、これに各部材を取り付け、また所定形状に切断する等して連続的に製造するのが一般的である。図４は、上記の様な前腹部６２を切り欠いたパンツ型おむつ６０の製造方法を説明する為の製造流れ図であり、前腹部６２の作製手順として、先ず２枚の長尺の帯状シート（内装シート８２，外装シート９２）の間に弾性糸条６４を伸張させた状態で挟み込み、これらを接着し、次いで切り欠き６２ａを形成する様にして帯状シートの両縁部分３６２ａ，３６２ｂ（尚以下、この様な切除端部分をトリムと称することがある）を切除する。そしてこの得られた前腹部形成帯７２を、別途製造した後背部形成帯７１（後背部６１が連続した帯体）と股下部６３に取り付け、次いで後背部形成帯７１に前腹部形成帯７２を重ねる様に折り畳んで（矢印Ｂ）、脇線部６７を接合し、続いてこの脇線部６７横を切断して個々のパンツ型おむつ６０に分ける。尚図４中、矢印Ａは製造流れ方向を示す。
【０００６】
しかしながら、この製造過程において前腹部形成帯７２はその下腹部側に切り欠き６２ａが形成されている為に、この切り欠かれて繰り上がった箇所の自由端６２ａ1が、弾性糸条６４の収縮力によって隣り合う自由端６２ａ1との間で互いに近接する方向（矢印Ｃ）に縮み、更にこの隣り合う自由端６２ａ1間（脇位置部分６２ｗ）が捲れる様にして前腹部６２の頭側（矢印Ｄ）に収縮することとなる。すると、その後の股下部６３への取付工程において位置決めが困難となり、前腹部６２と股下部６３がずれて配置される事態に至ったり、また位置決め調整作業に長時間を要したりする問題がある。
【０００７】
そこで本発明は上述の問題に鑑みてなされたものであり、股下部６３への前腹部形成帯７２の位置決めが容易な使い捨てパンツ型おむつの製造方法を提供することを目的とする。
【課題を解決するための手段】
【０００８】
上述の課題を解決した本発明に係る使い捨てパンツ型おむつの製造方法は、前腹部と後背部と股下部を重ね合わせて作製されるものであり、少なくとも前記前腹部が腹部回り方向に伸縮可能に構成されると共に、その下腹部側に切り欠きを形成してこの切り欠き線を下端縁とし、この切り欠きを覆う様に前腹部の非切欠部に前記股下部の一部が重ねられてなる使い捨てパンツ型おむつを連続して製造する方法における前記下腹部の切り欠き手段として、前記前腹部を構成する原料反における前記下腹部側の切断を、２段階以上に分けて行うこととし、この前半段階として、前記前腹部の原料反における前記股下部が重ねられる箇所毎に略等間隔で前記切り欠き線の下端縁を構成するスリットを入れ（以下、前半前腹切込工程と称することがある）、次に、前記前腹部に前記股下部を重ねて着脱自在に取り付け（以下、前腹・股下重ね工程と称することがある）、後半段階として、隣り合った前記スリットの端部を結ぶ線に沿って切り込みを入れる（以下、後半前腹切込工程と称することがある）ことを特徴とする。換言すると本発明に係る製造方法は、前腹部原料反における前腹部の下端縁となる箇所の切断を２段階以上に分けて行うこととしたものであって、この前腹部下端縁の切断の前半段階として、前腹部原料反における股下部が重ねられない箇所の少なくとも一部を残して股下部が重ねられる箇所における前腹部下端縁の切り込みを入れ［前半前腹切込工程］、次に、股下部に前腹部を重ねて取り付け［前腹・股下重ね工程］、その後、前記前腹部下端縁の切断の後半段階として、前腹部下端縁における切り残した箇所に切り込みを入れる［後半前腹切込工程］というものである。
【０００９】
股下部は前腹部の切り欠きを含む範囲に重ねられるので、予め前腹部に切り欠きを形成してから股下部を重ねる必要があり、この為に従来では前述の様に切り欠きの横部分が捲れ上がることになるのであるが、本発明では上述の様に前腹部下端縁の切断を２段階以上に分け、先に股下部が重ねられる箇所について切り込みを入れ、股下部が重ねられない箇所の少なくとも一部を残すことで、切り欠かれた箇所の自由端（例えば図４に示す自由端６２ａ1）を固定して捲れ上がりが防止する様にしたものである。従って股下部の位置決めが容易となる。そして股下部を重ねた後、切り残した箇所を切断し、前半段階で入れた切り込みと連続させてトリムを取り除く。
【００１０】
尚前腹部原料反に股下部を重ねた後で上記切り欠きを形成することも可能であるが、この場合は股下部を切断しない様にする為、厚み方向の途中まで切断可能な特殊な切断装置を必要とし、製造コストの高騰を招く虞がある。
【００１１】
また本発明において、更に、前記後背部を構成する原料反における後背部下端縁の切断を、２段階以上に分けて行うこととし、この前半段階として、前記後背部の原料反における前記股下部が重ねられる箇所毎に略等間隔で前記後背部下端縁を構成するスリットを入れ（以下、前半後背切込工程と称することがある）、次に、前記後背部に前記股下部を重ねて一体的に取り付け（以下、後背・股下重ね工程と称することがある）、後半段階として、隣り合った前記スリットの端部を結ぶ線に沿って切り込みを入れる（以下、後半後背切込工程と称することがある）ことが好ましい。つまり後背部原料反における後背部の下端縁となる箇所の切断についても２段階以上に分けて行うものであって、先ずこの後背部下端縁の切断の前半段階として、後背部の原料反における股下部が重ねられない箇所の少なくとも一部を残して股下部が重ねられる箇所における後背部下端縁の切り込みを入れ［前半後背切込工程］、次に、股下部に後背部を重ねて取り付け［後背・股下重ね工程］、その後、後背部下端縁の切断の後半段階として、後背部下端縁における切り残した箇所に切り込みを入れる［後半後背切込工程］というものである。
【００１２】
後背部についても同様に、先に股下部と重なる予定の箇所について切り込みを入れる一方で、重ねられない箇所の少なくとも一部を残すことにより、切り込みを入れた箇所を固定することがでる。従って後背部原料反と股下部の位置決めが容易である。
【００１３】
更に前記前腹部下端縁の後半段階の切込み操作（前記前腹部原料反の下腹部側の切断における後半段階の切り込み操作）、及び前記後背部下端縁の後半段階の切込み操作（前記後背部原料反の下端縁の切断における後半段階の切り込み操作）を、同一のドラムカッターにより行う様にすれば、製造設備を簡略化できて好ましい。
【発明の効果】
【００１４】
本発明に係る使い捨てパンツ型おむつの製造方法によれば、前腹部が腹部回り方向に伸縮可能で切り欠きを有するパンツ型おむつであっても、製造時の股下部の取り付けに際して位置決めが容易で、前腹部と股下部がずれて配置される事態や、位置決め調整作業に長時間を要するといった事態を防止することができる。
【発明を実施するための最良の形態】
【００１５】
＜実施形態１＞
図１（ａ）は本発明の実施形態１に係る使い捨てパンツ型おむつの製造方法を説明する為の製造流れ図であり、また図２はこの製造流れを側面から表した概略図である。この製造ラインは、パンツ型おむつを左右方向に流して製造する所謂横流し法によるものであり、原料帯状反が図１（ａ）に示す矢印Ａ方向に進んで、図３に示す様なパンツ型おむつ６０が連続的に製造されることとなる。
【００１６】
製造法としては、先ず前腹部６２の原料反１２として、２枚の長尺の帯状シート（内装シート８２，外装シート９２）の間に、ボディ用弾性糸条６４及びウエスト用弾性糸条８４を胴腹回り方向に伸張させた状態で挟み込んで接着したものを作製する。尚ウエスト用弾性糸条８４については外装シート９２の上端側を折り返して（矢印Ｆ）挟む様にする。
【００１７】
次にこの前腹部原料反１２における前腹部６２の下端縁１２ａとなる箇所のうち、股下部６３が重ねられる箇所にスリット（切り込み）２２を入れる［前半前腹切込工程］。このスリット２２は、出来上がりのおむつ６０における前腹部６２の切り欠き６２ａ（切り欠き線）及びここから続く切欠横下端縁６２ｂに相当し、丁度この部分に対応する刃１４を持つドラムカッター１５により形成される（図１の（ｂ）：前半前腹切込工程で用いるドラムカッター１５を示す斜視図）。尚刃１４の中央曲線部１４ａが切り欠き６２ａに対応し、刃１４の端部１４ｂが切欠横下端縁６２ｂに対応する。このとき股下部６３が重ねられない箇所Ｅ（図１（ａ）にＥで示して二点鎖線で囲んだ箇所；以下、非重積箇所Ｅと称することがある）は切られずに残っており、脇位置部分６２ｗはこれに連なったトリム部分１６ｂによって支えられるから、捲れることなく平面状を保つ。尚非重積箇所Ｅの全てを切らずに残す必要はなく、例えば図１（ａ）に示す様にスリット２２が非重積箇所Ｅに少々はみ出して良い。
【００１８】
他方、後背部６１について後背部原料反１１として、内装シート８１と外装シート９１の間にボディ用弾性糸条６４及びウエスト用弾性糸条８４を胴腹回り方向に伸張状態で挟み込むと共に、脚繰り部分の弾性糸条６８を伸張湾曲させながら挟み込み、これらを接着したものを作製する。尚上記と同様にウエスト用弾性糸条８４については外装シート９１の上端縁を折り返して（矢印Ｆ）挟む様にする。次に後背部原料反１１に対し、後背部下端縁１１ａとなる箇所のうち、股下部６３が重ねられる箇所にスリット（切り込み）２１を入れる［前半後背切込工程］。仮に後背部下端縁１１ａ全体を切り離すと、脚繰用弾性糸条６８の収縮力によって後背部の臀部部分６１ｈが捲れ上がる懸念があるが、股下部６３が重ねられない箇所Ｇ（図１（ａ）にＧで示して二点鎖線で囲んだ箇所；以下、非重積箇所Ｇと称することがある）は切られていないから、捲れることなく平面状を保つ。尚この後背部６１の場合もスリット２１が非重積箇所Ｇにはみ出して良い。この切り込み操作には、スリット２１に対応する刃３４備えたドラムカッター３５を用いる（図１（ｃ）：前半後背切込工程で用いるドラムカッター３５を示す斜視図）。
【００１９】
また別途、股下部６３を作製する。なお股下部６３は図３（ｂ）に示す如くものであり、つまり肌側に透液性のトップシート７５、表側に不透液性のバックシート７６を配置して、これらシート７５，７６間に吸収性コア（吸収体）６６を挟んだ構造となっており、更に股下部６３の両側縁部分に長手方向に延びるサイドシート７４が取り付けられ、このサイドシート７４の中央縁付近に糸状の立体用弾性糸条（図示せず）が挟み込まれてこの弾性力によりサイドシート７４が肌に向かって立ち上がる様になっている。また股下部６３の側縁部分には股下用弾性糸条６９が取り付けられている。そして股下部６３の前腹側の端部近傍に面ファスナーの雄型係合部材６５ａが接着されている。
【００２０】
次に上記後背部原料反１１（スリット２１の入ったもの）の肌面側に股下部６３の背側部分を重ねて接着する［後背・股下重ね工程］。このとき臀部部分６１ｈは平面状態が保たれているから、後背部原料反１１と股下部６３の位置決めが容易である。
【００２１】
またこの股下部６３の腹側部分の肌面側に上記前腹部原料反１２（スリット２２の入ったもの）を重ね、予め前腹部外装シート９２の外側面に接着されていた面ファスナーの雌型係合部材６５ｂと股下部６３の雄型係合部材６５ａとを係合させる様にする［前腹・股下重ね工程］。このとき、脇位置部分６２ｗは捲れることなく平面状が保持されているから、股下部６３と前腹部６２の位置決めが容易であり、また前腹部６２の脇位置部分６２ｗが捲れた状態で股下部６３が重ねられてしまうということもない。尚予め雌型係合部材６５ｂを前腹部外装シート９２に接着しておかずに、該雌型係合部材６５ｂを股下部６３の雄型係合部材６５ａに係合させた状態とし、この股下部６３を前腹部外装シート９２に重ねた際に、雌型係合部材６５ｂを外装シート９２に接着剤で接着する様にしても良い。また前腹部外装シート９２として微細なループを有する不織布を用いれば、該不織布に上記雄型係合部材６５ａを係合させることが可能であり、雌型係合部材６５ｂの取り付けを省略することができる。
【００２２】
次いで、前腹部６２の下端縁１２ａとなる箇所のうち前半前腹切込工程で切り残した箇所に切り込み３２を入れると共に［後半前腹切込工程］、後背部６１の下端縁１１ａとなる箇所のうち前半後背切込工程で切り残した箇所に切り込み３１を入れる［後半後背切込工程］。この切り込み操作には、前腹部下端縁１２ａの切り残し箇所（切り込み３２）に対応する刃１８と、後背下端縁１１ａの切り残し箇所（切り込み３１）に対応する刃１９の両方を備えたドラムカッター２５を用いる（図１（ｄ）：後半前腹切込工程及び後半後背切込工程で用いるドラムカッター２５を示す斜視図）。尚切り込み３２，３１は上記スリット２２，２１と若干交叉する様にすることが推奨され、切り残しの無いようにする。
【００２３】
上記切り込み３２を入れることによって、先に入れたスリット２２と繋がり、前腹部原料反１２のトリム１６が切り離され、また上記切り込み３１を入れることによって、先に入れたスリット２１と繋がり、後背部原料反１１のトリム１７が切り離される。図２における右側はトリム１６，１７を回収する様子を表しており、切り離されたトリム１６，１７はそれぞれ連なった状態で、各々トリム回収ボックス２７に回収される。尚図２中、２６はカッター対向ドラム（アンビル）である。
【００２４】
その後従来と同様に、後背部原料反１１に前腹部原料反１２を重ねる様に折り畳み、脇線部６７を接合し、続いてこの脇線部６７横を切断して個々のパンツ型おむつ６０に分ける。
【００２５】
この様にして腹部回り方向に伸縮可能で、前腹部の外側面（反身体側面）に股下部を着脱するタイプのパンツ型おむつ６０が得られる。
【００２６】
以上の様に本実施形態１の製造方法によれば、前腹部６２について前腹部下端縁１２ａの切断を２段階に分け、第１段階目の切断（前半前腹切込工程）では非重積箇所Ｅの範囲の殆どにおいて切らずに残しているので、脇位置部分６２ｗの様に両側が自由端６２ａ1となった部分も上記切り残し箇所によって平面状態が保持され、そしてこの状態で、即ち２段階目の切断（後半前腹切込工程）の前に、前腹部原料反１２に股下部６３を重ねて取り付けることとしているから、股下部６３の取り付けにあたっての位置決めが容易であり、また前腹部原料反１２が捲れた状態で股下部６３に取り付けられることも生じない。
【００２７】
後背部についても、第１段階目の切断（前半後背切込工程）において非重積箇所Ｇの範囲の殆どを切らずに残し、即ち蛇行する後背部下端縁１１ａのうち脚繰りの曲線部分を繋げた状態としているので、後背部原料反１１の平面状態が保たれ、そしてこの状態で股下部６３を重ねて取り付けることとしているから、位置決めが容易であり、また後背部原料反１１が捲れた状態の上に股下部６３が取り付けられることもない。
【００２８】
加えて２段階目の切断（後半前腹切込工程，後半後背切込工程）において切る箇所は、前腹部原料反１２や後背部原料反１１に股下部６３が重なっていない箇所であるから、厚み方向に切り通すことができ、厚みの途中まで切るといった特殊な切断装置を必要とせず、製造コストを抑えることができる。
【００２９】
尚、上記実施形態１で製造される使い捨てパンツ型おむつの各材料としては、一般的な使い捨てパンツ型おむつに用いられる材料を使用でき、例えば次の如く材料が挙げられる。
【００３０】
外装シート９２，９１としては、スパンボンド不織布，メルトブロー不織布，ＳＭＳ不織布（メルトブロー層の両側にスパンボンド層を配置させ、全体をヒートエンボス加工して得られる不織布）等の、通気性があって撥水性である不織布材料の他、織物や編物が挙げられる。好ましくは、目付１０〜４５ｇ／ｍ2の撥水性不織布材料である。また外装シート９２を雌型係合部材として機能させる場合には、その材料として、捲縮のかかった繊維を有するスパンボンド不織布や、嵩高なエアースルー不織布を用いることが推奨される。
【００３１】
内装シート８２，８１としては、スパンボンド不織布，メルトブロー不織布，ＳＭＳ不織布等の、通気性がある不織布材料が挙げられ、特に捲縮がかかった繊維を有するスパンボンド不織布が好適である。目付量としては１０〜３５ｇ／ｍ2が好ましい。その材料としてはポリプロピレン、ポリエチレン、ポリエステル、ポリアミド等が挙げられる。また親水化（界面活性剤を塗布する、或いは親水性繊維（レーヨン、コットン等）を若干混ぜる）しても良い。親水化することにより、肌に当接した場合の感触がより良好になったり、また吸汗したりする効果が期待できる。
【００３２】
トップシート７５としては、透液性の不織布材料が好ましく、例えば親水性繊維（セルロース，レーヨン，コットン等）を用いた不織布材料、あるいは疎水性繊維（ポリプロピレン，ポリエチレン，ポリエステル，ポリアミド等）の表面を界面活性剤により処理して透液性とした不織布材料が挙げられる。好ましくは、目付１０〜３５ｇ／ｍ2の疎水性繊維の表面を界面活性剤により処理して透液性とした不織布材料（ポイントボンド不織布，エアースルー不織布）が挙げられる。
【００３３】
バックシート７６としては、撥水性不織布材料（スパンボンド不織布，メルトブロー不織布，ＳＭＳ不織布等）やプラスチックフィルム、またその複合材料が挙げられる。尚上記プラスチックフィルムは通気性であっても非通気性であっても良いが、より好適な態様としては通気性プラスチックフィルムが望ましい。より好ましくは目付１５〜５０ｇ／ｍ2の通気性ポリエチレンフィルムである。
【００３４】
吸収性コア（吸収体）６６としては、粉砕したパルプ繊維やセルロース繊維等の親水性繊維集合層に粒状の高分子吸水体を混合した吸収コアを、ティッシュペーパー等の紙シートあるいは透液性不織布シート等の被覆シートで包み、所定の形状（長方形，砂時計型，ひょうたん型等）に成形した吸収体が挙げられる。加えて、着用者が歩いたり、寝返りを打ったりしても形状を保持できる様にする目的で、親水性繊維集合体中やシートに形状保持手段（ホットメルト接着剤の塗布、合成繊維の混合）を施しても良い。また上記繊維や高分子吸水体をシート状に成形したシート状吸収体（例えばエアレイド吸収体）などを所定の形状（長方形，砂時計型等）に成形して用いても良い。
【００３５】
サイドシート７４としては、スパンボンド不織布，メルトブロー不織布，ＳＭＳ不織布等の、通気性があって撥水性である不織布材料が挙げられ、好ましくは目付１０〜２５ｇ／ｍ2の撥水性不織布材料が挙げられる。
【００３６】
ボディ用弾性糸条６４，ウエスト用弾性糸条８４，股下用弾性糸条６９，脚繰用弾性糸条６８，立体用弾性糸条としては、使い捨ておむつに一般的に用いられる弾性伸縮材料（ポリウレタン糸，ポリウレタンフィルム，天然ゴム等）を用いると良く、各種シートの間に伸張状態で、ホットメルト接着剤，熱接着，超音波接着等の好適な添設手段によって添設すると良い（添設手段としてはゴム系のホットメルト接着剤を用いることがより好ましい）。ボディ用弾性糸条６４の場合は、繊度３００〜２０００デシテックスのポリウレタン糸を、倍率１．１〜４．０倍に伸張して添設するのが好ましい。ウエスト用弾性糸条８４の場合は、繊度７００〜２０００デシテックスのポリウレタン糸を、倍率２．０〜５．０倍に伸張して添設するのが好ましい。股下用弾性糸条６９，脚繰用弾性糸条６８の場合は、繊度３００〜１８５０デシテックスのポリウレタン糸を、倍率１．１〜３．０倍に伸張して添設するのが好ましい。立体用弾性糸条の場合は、繊度３００〜２０００デシテックスのポリウレタン糸を、倍率１．１〜４．０倍に伸張して添設するのが好ましい。
【００３７】
尚各材料の接合方法としては、ホットメルト接着剤による接着、超音波シール、熱接合等の方法が挙げられる。ホットメルト接着剤としては、ゴム系，ポリオレフィン系，酢酸ビニル系等のホットメルト接着剤から適宜選択すると良く、接着剤の塗布方法としては、接着剤排出ノズルを接触させつつ塗布する方法、カーテンスプレーコータによるメルトブロー法やスパイラルスプレー法等の非接触式塗工法で網状に塗布する方法、間欠的に塗布するビード塗布法等が挙げられる。脇線部６７については、熱接合による接合が好ましい。
【００３８】
以上、本発明に係る使い捨てパンツ型おむつの製造方法に関して、例を示す図面を参照しつつ具体的に説明したが、本発明はもとより上記例に限定される訳ではなく、前記の趣旨に適合し得る範囲で適当に変更を加えて実施することも勿論可能であり、それらはいずれも本発明の技術的範囲に包含される。
【００３９】
例えば実施形態１では、前半前腹切込工程，後半前腹切込工程をそれぞれ１の切込操作で行うものを示したが、前半前腹切込工程及び／または後半前腹切込工程を複数段階に分けて切り込みを入れる様にしても良い。前半後背切込工程，後半後背切込工程も同様に複数段階に分けても良い。
【００４０】
また前腹部６２及び後背部６１の上端縁について、実施形態１の様に外装シート９２，９１を折り返して形成せずに、前腹部上端側トリム及び後背上端側トリムをカッターにより切り離す様にしても良く、この際、上記ドラムカッター２５に前腹部上端縁及び後背上端縁に対応する刃を設け、上記切り込み３２，３１の形成操作と同時に行う様にしても良い。
【００４１】
加えて前腹部６２の中央を縦方向に切断可能に構成したパンツ型おむつにおいても、本発明の製造方法を適用可能であり、例えば前半前腹切込工程と同時、或いはその前後において、前腹部６２の中央を縦方向にミシン目状の切れ目線を入れる様にしても良い。
【図面の簡単な説明】
【００４２】
【図１】（ａ）は本発明の実施形態１に係る使い捨てパンツ型おむつの製造方法を説明する為の製造流れ図である。（ｂ）は実施形態１において前半前腹切込工程で用いるドラムカッターを示す斜視図で、（ｃ）は実施形態１において前半後背切込工程で用いるドラムカッターを示す斜視図で、（ｄ）は実施形態１において後半前腹切込工程及び後半後背切込工程で用いるドラムカッターを示す斜視図である。
【図２】実施形態１における製造流れを側面から表した概略図である。
【図３】（ａ）は腹部伸縮自在・股部開閉自在な使い捨てパンツ型おむつの一例を表す斜視図であり、（ｂ）は（ａ）に示すパンツ型おむつの股部分を開けた状態の正面図である。
【図４】使い捨てパンツ型おむつの製造方法を説明する為の製造流れ図である。
【符号の説明】
【００４３】
１１  後背部原料反
１１ａ  後背部下端縁
１２  前腹部原料反
１２ａ  前腹部下端縁
１４，１８，１９  刃
１５，２５  ドラムカッター
１６，１７  トリム
２１，２２  スリット
３１，３２  切り込み
６１  後背部
６２  前腹部
６２ａ  切り欠き
６３  股下部
６４  ボディ用弾性糸条
６８  脚繰用弾性糸条
【図１】
2006055359.tif 000003
【図２】
2006055359.tif 000004
【図３】
2006055359.tif 000005
【図４】
2006055359.tif 000006